(57)【要約】      （修正有）【課題】洗濯物を取り込む際、洗濯物のしわや型崩れ等を起こさせずに且つスピーディーに洗濯物を取り込むことができるハンガーを提供する。【解決手段】真直な第１辺１６ｂと、第１辺の両端から第１辺に垂直な方向に真直に延在し第２辺１６ａ及び第３辺１６ｃと、第１辺対向する第４辺とで画成される板状の折りたたみ板１６と、第４辺の中央部に設けられたフック部１２と、折りたたみ板上に設けられた回転軸と、その回転軸を中心として回転可能な一対の回転羽根１４，１５とを備え、洗濯物を折りたたむ際に、折りたたみ板の第１辺、第２辺及び第３辺が洗濯物の折り目位置に対応することを特徴とする。【選択図】図１
0003100792.tif 000002
【実用新案登録請求の範囲】
【請求項１】
洗濯物用のハンガーであって、
真直な第１辺と、第１辺の両端から第１辺に垂直な方向に真直に延在した第２辺及び第３辺と、第１辺に対向する第４辺とで画成される板状の折りたたみ板と、
第４辺の中央部に設けられたフック部とを備え、
洗濯物を折りたたむ際に、該折りたたみ板の第１辺、第２辺及び第３辺が洗濯物の折り目位置に対応することを特徴とするハンガー。
【請求項２】
上記フック部と上記折りたたみ板が一体的に形成されていることを特徴とする請求項１に記載のハンガー。
【請求項３】
上記折りたたみ板に開口部が形成されていることを特徴とする請求項１または２に記載のハンガー。
【請求項４】
上記ハンガーが、さらに、上記折りたたみ板上に設けられた回転軸と、該回転軸を中心として回転可能な一対の回転羽根とを備え、該回転羽根が上記第４辺の長さを延長する第１位置と、折りたたみ板の第４辺の長さ方向の幅内に収容される第２位置との間を回転移動することを特徴とする請求項１〜３のいずれか一項に記載のハンガー。
【考案の詳細な説明】
【技術分野】
【０００１】
本考案は、洗濯物用のハンガーに関する。
【背景技術】
【０００２】
一般に、洗濯物を物干し竿等に干す際に用いられるハンガーは、物干し竿等にぶら下げるためのフック部と、そのフック部と結合され、洗濯物を掛けるための羽根部とで構成される。羽根部の幅は一般に、人間の肩幅サイズに設定され、Ｙシャツ等の洗濯物を干す際、洗濯物のしわや型崩れ等を防止している。例えば、従来、洗濯物を元の形及びサイズで乾燥させて、型崩れ、縮み、絞りジワ等を補正する機能を有するハンガーが提案されている（例えば、特許文献１参照）。
【０００３】
通常、乾いた洗濯物を取り込む際、洗濯物をハンガーから取り外して、洗濯物を無造作に洗濯かご等に入れる。その後、洗濯物を洗濯かご等から取り出して、折りたたみ、衣装箪笥等に収納する。しかしながら、乾いた洗濯物を取り込む際、ハンガーから取り外した洗濯物を、そのまま無造作に洗濯かご等に入れてしまうと、洗濯物のしわや型崩れ等が起こるという問題が生じる。また、自動化された家電製品に慣れきった現代人にとって、洗濯物の取り込み作業は厄介であり、より効果的に行いたいという願望もある。とはいえ、倹約を重んじる日本人には乾燥機の導入に抵抗感があり、青空の下で真白な洗濯物を干す爽快感も捨て難い。
【０００４】
【特許文献１】特開２００１−２５９２９６号公報（第２頁、第１図）
【考案の開示】
【考案が解決しようとする課題】
【０００５】
本考案は、上記問題を解決するためになされたものであり、洗濯物を取り込む際、洗濯物のしわや型崩れ等を起こさせずに且つスピーディーに洗濯物を取り込むことができるハンガーを提供することを第１の目的とする。また、本考案の第２の目的は、洗濯物の取り込み、折りたたみ及び収納の一連の動作をより効率的に行うための新規なハンガーを提供することである。
【課題を解決するための手段】
【０００６】
本考案の態様に従えば、洗濯物用のハンガーであって、真直な第１辺と、第１辺の両端から第１辺に垂直な方向に真直に延在した第２辺及び第３辺と、第１辺に対向する第４辺とで画成される板状の折りたたみ板と、第４辺の中央部に設けられたフック部とを備え、洗濯物を折りたたむ際に、該折りたたみ板の第１辺、第２辺及び第３辺が洗濯物の折り目位置に対応することを特徴とするハンガーが提供される。
【０００７】
本発明のハンガーでは、上記フック部と上記折りたたみ板が一体的に形成されていることが好ましい。
【０００８】
本発明のハンガーでは、上記折りたたみ板に開口部が形成されていることが好ましい。
【０００９】
また、本発明のハンガーでは、さらに、上記折りたたみ板上に設けられた回転軸と、該回転軸を中心として回転可能な一対の回転羽根とを備え、該回転羽根が上記第４辺の長さを延長する第１位置と、折りたたみ板の第４辺の長さ方向の幅内に収容される第２位置との間を回転移動することが好ましい。
【考案の効果】
【００１０】
本考案のハンガーを用いると、洗濯物を折りたたみながら取り込むことが可能になり、洗濯物の取り込み、折りたたみ及び収納の一連の動作をより効率良く行うことができる。さらに、本考案のハンガーを用いて洗濯物を取り込む際、ハンガーの折りたたみ板を型として折りたたむことが可能になるので、洗濯物のしわや型崩れ等が起こり難くなる。
【考案を実施するための最良の形態】
【００１１】
以下に、図面を参照しながら、本考案のハンガーについて具体的に説明するが、本考案のハンガーをこれに限定されるものではない。
【実施例】
【００１２】
実施例のハンガーの概略構成図を図１及び２に示した。この例のハンガー１０は、図１に示すように、フック部１２と、折りたたみ板１６と、一対の回転羽根１４及び１５と、ストッパー１７とから構成される。この例のハンガー１０では、図１に示すように、フック部１２と折りたたみ板１６が一体的に形成されている。また、ストッパー１７は、図１及び２に示すように、折りたたみ板１６の片面に設けられ、後述する折りたたみ板１６の開口部１６ｈの下部に設けられている。なお、図１及び２中の軸ＡＸは折りたたみ板１６の中心軸である。
【００１３】
折りたたみ板１６は、図１及び２に示すように、ほぼ矩形の平板であり、真直な下辺１６ｂ（第１辺）と、下辺１６ｂ（第１辺）の両端部から垂直方向に且つ真直ぐに延在した右辺１６ａ（第２辺）及び左辺１６ｃ（第３辺）とを有する。後述するように、洗濯物を折りたたんだ際、折りたたみ板１６の下辺１６ｂ、右辺１６ａ及び左辺１６ｃが、洗濯物の折り目の位置に対応するように、折りたたみ板１６の幅と長さが設定されている。なお、本明細書において、用語「真直」とは、洗濯物の折りたたみ動作に悪影響を与えない程度に真直であれば足りる意味であり、また、用語「第１辺に真直な方向」とは、洗濯物の折りたたみ動作に悪影響を与えない程度に第１辺に対してほぼ垂直な方向を意味するものとする。
【００１４】
折りたたみ板１６の上辺（第４辺）は、図２に示すように、山型であり、左部１６ｄ、中央部１６ｅ及び右部１６ｆで構成される。左部１６ｄ及び右部１６ｆは、中央部１６ｅの両端から折りたたみ板１６の中心軸ＡＸに対して対称に所定の角度で斜め下方に延在しており、延在した左部１６ｄ及び右部１６ｆの先端が右辺１６ａ（第２辺）及び左辺１６ｃ（第３辺）の上端とそれぞれ連結している。
【００１５】
折りたたみ板１６の上辺の中央部１６ｅの一方の端部にはフック部１２が連結されている。フック部１２は、図１に示すように、折りたたみ板１６の上辺の中央部１６ｅの一方の端（図１中では右端）から、図面の上方に向かって延在し、その先端部分は円形に屈曲している。このフック部１２の屈曲部分を物干し竿等に引っ掛けることにより洗濯物を干すことができる。また、折りたたみ板１６の上辺部の中央部１６ｅの他方の端（図１中では左端）には、ハンガー１０を物干し竿等から外れ難くするために、上方に向かって突起した突起部１９が形成されている。
【００１６】
また、折りたたみ板１６には、図１に示すように、複数の開口部（図１中の矩形状の開口部１６ｇ及び五角形の開口部１６ｈ）が形成されている。この開口部により、ハンガー１０の軽量化が図られるだけでなく、洗濯物を干した際に、洗濯物の通風性を向上させることができる。
【００１７】
ストッパー１７は、折りたたみ板１６の中心軸ＡＸに対して垂直方向に延在した棒状の部材である。ストッパー１７の両端部は、図１に示すように、その端面が上方に向くように、ストッパー１７の延在方向に対して所定の角度傾けて形成されている。
【００１８】
回転羽根１４及び１５は、図１及び２に示すように、羽根部１４ａ及び１５ａと支持部１４ｂ及び１５ｂからなる部材であり、折りたたみ板１６の上辺（第４辺）に設けられ、折りたたみ板の中心軸ＡＸに対して対称に設けられている。回転羽根１４及び１５の支持部１４ｂ及び１５ｂから羽根部１４ａ及び１５ａにかけて、図１及び２に示すように、その断面の一部が凹形状になる部分１４ｃ及び１５ｃ（以下、凹部１４ｃ及び１５ｃともいう）が形成されている。凹部１４ｃ及び１５ｃの内幅は、図２に示すように、折りたたみ板１６の板厚より大きくなっている。また、支持部１４ｂ及び１５ｂは、図１及び２に示すように、その端部が止め具１８によって折りたたみ板１６の左部１６ｄ及び右部１６ｆにそれぞれ取り付けられ、止め具１８を回転軸として羽根部１４ａ及び１５ａがフック部１２に向かう方向に回転可能である。
【００１９】
回転羽根１４及び１５が折りたたみ板１６の上辺に沿って横向きに延在している位置（第１位置）にある場合、すなわち、回転羽根１４及び１５を広げている場合のハンガー１０を示したのが図１であり、回転羽根１４及び１５が中心軸ＡＸに沿って縦向きに延在している位置（第２位置）にある場合、すなわち、回転羽根１４及び１５をたたんだ場合のハンガー１０を示したのが図２である。回転羽根１４及び１５が第１位置にある場合、図１に示すように、回転羽根１４及び１５の凹部１４ｃ及び１５ｃの底部が折りたたみ板１６の上辺の右部１６ｆ及び左部１６ｄの上端面にそれぞれ接して保持され、回転羽根１４及び１５が折りたたみ板１６の上辺（の延長部）よりも下方に回転することが防止される。すなわち、凹部１４ｃ及び１５ｃは回転羽根１４及び１５の回転ストッパーとして機能する。
【００２０】
また、回転羽根１４及び１５が第１位置にある場合、図１に示すように、折りたたみ板１６に設けられたストッパー１７の両端部が、回転羽根１４及び１５の羽根部１４ａ及び１５ｂのＬ状部分のコーナー部とそれぞれ接して保持されている。これにより、回転羽根１４及び１５が折りたたみ板１６の上辺（の延長部）よりも下方に回転することが防止されるだけでなく、洗濯物をハンガー１０に掛けた際に、洗濯物の重量により回転羽根１４及び１５の先端が下方へ曲がることを抑制することができ、洗濯物を型崩れさせることなく干すことができる。
【００２１】
次に、本考案のハンガーを用いて洗濯物を干す工程から収納工程までの一連の動作を図１及び２を参照しながら説明する。この例では、洗濯物としてＹシャツを例にとって説明する。まず、ハンガー１０の回転羽根１４及び１５を図１に示した状態（第１位置）で、Ｙシャツを従来のハンガーに掛ける方法と同様にして、Ｙシャツの肩口の内側でハンガー１０の一対の回転羽根１４及び１５に覆うように掛ける。次いで、フック部１２の屈曲部分を物干し竿等に引っ掛けて洗濯物を干す。
【００２２】
Ｙシャツが乾いた後、一旦、Ｙシャツをハンガー１０から外し、ハンガー１０の回転羽根１４及び１５をフック部１２の方に回転させ、図２に示したような状態にする（第２位置）。
【００２３】
次いで、回転羽根１４及び１５が第２位置にある状態のハンガー１０を物干し竿等に掛けたまま、Ｙシャツの背中部分を折りたたみ板１６に押し当てて、折りたたみ板１６を型にしてＹシャツの両袖及び裾部を折りたたむ。この際、折りたたみ板１６の右辺１６ａ、左辺１６ｃ及び下辺１６ｂを境にして、折りたたみ板１６をＹシャツの両袖及び裾で包み込む方向に、Ｙシャツを折りたたむ。すなわち、折りたたみ板１６の右辺１６ａ、左辺１６ｃ及び下辺１６ｂがＹシャツの折り目の位置に対応することになる。なお、Ｙシャツを折りたたむときに、ハンガー１０のフック部１２の一部が、Ｙシャツの裾の内側から上方に出るようにする。
【００２４】
Ｙシャツをたたみ終わったら、そのままの状態でハンガー１０とＹシャツを一緒に物干し竿等から外し、洗濯かご等に入れる。次いで、Ｙシャツを衣装棚等に収納するために、洗濯かご等からＹシャツを取り出し、Ｙシャツから突き出たフック部１２を、フック部１２が突き出ている方向に引っ張って、ハンガー１０をＹシャツから抜き取る。そして、ハンガー１０が抜き取られたＹシャツを衣装棚等に収納する。
【００２５】
上述のように、この例で示したハンガーを用いると、乾いた洗濯物の取り込み、折りたたみ及び収納の一連の動作をよりスピーディーにより効率良く行うことができる。また、ハンガーを用いて洗濯物を取り込む際、ハンガーを型として折りたたむので、洗濯物のしわや型崩れ等が起こり難くなる。
【００２６】
なお、上記ハンガーの使用方法の一連の動作の中で、Ｙシャツの背中部分を折りたたみ板１６に押し当てて、折りたたみ板１６を型にしてＹシャツを折りたたむ工程で、回転羽根１４及び１５を第１位置にして（図１に示すような状態にして）、折りたたみ板１６と回転羽根１４及び１５との隙間に、Ｙシャツの肩口の一部を挟み込んでからＹシャツを折りたたんでも良い。Ｙシャツの肩口の一部を折りたたみ板１６と回転羽根１４及び１５との隙間に挟み込むことにより、Ｙシャツの肩口の一部が折りたたみ板１６に固定されるので、さらにＹシャツが折りたたみ易くなる。
【００２７】
なお、実施例で用いたハンガー１０の主な仕様は次の通りである。
【００２８】
折りたたみ板１６は、厚さ１ｍｍ程度のプラスチック板を用いて形成し、折りたたみ板１６の幅Ｗ１が約２３ｃｍ程度、長さＨ２は約４０ｃｍ程度となるように設計した。この折りたたみ板１６のサイズは、市販の洗濯かごの底のサイズとほぼ同じ大きさである。折りたたみ板１６のサイズを市販の洗濯かごの底のサイズとほぼ同じ大きさにすることにより、ハンガー１０を用いて折りたたまれた洗濯物もまた、市販の洗濯かごの底のサイズとほぼ同じ大きさになるので、折りたたんだ洗濯物をより隙間なく効率的に洗濯かごに入れることができる。
【００２９】
また、ストッパー１７はプラスチック製の棒状部材で形成し、折りたたみ板１６の下辺１６ｂから上方約２９ｃｍ（図１中のＨ２）の位置に設けた。
【００３０】
折りたたみ板１６のストッパー１７より下部の領域には、図１及び２に示すように、幅５ｃｍ、長さ６ｃｍ程度の複数の矩形の開口部１６ｇを均一に設けた。また、ストッパー１７より上部の領域には、底辺部の長さが約１８ｃｍ、上辺部の長さが約５ｃｍ、そして高さが約７ｃｍの五角形の開口部１６ｈを形成した。
【００３１】
回転羽根１４及び１５は、厚さＤが約１ｃｍ程度のプラスチック製の板状部材で形成した。また、この例では、回転羽根１４及び１５を第１位置にした場合（図１に示した状態）に回転羽根１４及び１５の先端間の幅Ｗ２が約３９ｃｍになるように、回転羽根１４及び１５の長さと、回転羽根１４及び１５の取り付け位置を設計した。
【００３２】
なお、止め具１８としては、回転羽根１４及び１５を折りたたみ板上に回転可能に取り付けられる部材であれば、任意の止め具を用い得る。例えば、ビス等を用いても良い。
【００３３】
上記実施例のハンガー１０では、ハンガー１０を構成する各部材をプラスチックで形成したが、金属や木等で形成しても良い。また、後述するように、洗濯物を衣装棚当に収納する際、洗濯物からハンガーを引き抜くためには、折りたたみ板１６が洗濯物に対して滑りやすい材料で形成することが好ましいので、折りたたみ板１６の部分だけプラスチックで形成しても良い。
【００３４】
上記実施例では、本考案のハンガーを用いてＹシャツを折りたたむ例を説明したが、Ｔシャツやトレーナー等の洗濯物についても同様適用し得る。
【産業上の利用可能性】
【００３５】
本考案のハンガーを用いると、乾いた洗濯物を折りたたみながら取り込むことができるので、洗濯物の取り込み、折りたたみ及び収納の一連の動作をよりスピーディーにより効率良く行うことができる。さらに、本考案のハンガーを用いて洗濯物を取り込む際、ハンガーの折りたたみ板を型として折りたたむので、洗濯物のしわや型崩れ等が起こり難くなる。
【図面の簡単な説明】
【００３６】
【図１】図１は、実施例のハンガーの正面図であり、回転羽根を広げた状態の様子を示した図である。
【図２】図２は、実施例のハンガーの回転羽根をたたんだ状態の様子を示した図であり、図２（ａ）が正面図であり、図２（ｂ）は側面図である。
【符号の説明】
【００３７】
１０  ハンガー
１２  フック部
１４，１５  回転羽根
１６  折りたたみ板
１７  ストッパー
１８  止め具
【図１】
0003100792.tif 000003
【図２】
0003100792.tif 000004